(57)【要約】【課題】改善されたポータブルファンを提供することである。【解決手段】本考案は新型屋外用ポータブルファンに関し、ファンカバー２を有するファン本体を備え、ファンカバー２の中にモータにより駆動されるファン羽根３が取り付けられ、前記モータにコントロールボード、電池が接続され、ファン本体は、コントロールボード、電池が取り付けられるベース１を備え、前記ファンカバー２の一側がベース１に回転装着され、ファンカバー２は回転することによりベース１の頂面との開閉が実現される。ファン本体はベース１により配置することができ、ファンカバー２の回転により風向を調整することができ、操作が便利であり、使用者の両手を解放することができる。【選択図】図１
0003216040.tif 000002
【実用新案登録請求の範囲】
【請求項１】
ファンカバーを有するファン本体を備え、ファンカバーの中にモータにより駆動されるファン羽根が取り付けられ、前記モータにコントロールボード、電池が接続される新型屋外用ポータブルファンであって、
ファン本体は、コントロールボード、電池が取り付けられるベースを備え、
前記ファンカバーの一側がベースに回転装着され、ファンカバーは回転することによりベースの頂面との開閉が実現されることを特徴とする新型屋外用ポータブルファン。
【請求項２】
前記ファン本体に鏡が取り付けられていることを特徴とする請求項１に記載の新型屋外用ポータブルファン。
【請求項３】
前記鏡はベースの底面に取り付けられる第１の鏡体を備えることを特徴とする請求項２に記載の新型屋外用ポータブルファン。
【請求項４】
前記第１の鏡体の外周に複数のＬＥＤランプが設けられていることを特徴とする請求項３に記載の新型屋外用ポータブルファン。
【請求項５】
前記ベースの底部には、ベースとの接続箇所に沿って往復回転することでベースの底面と開閉する底蓋が可動に取り付けられていることを特徴とする請求項２に記載の新型屋外用ポータブルファン。
【請求項６】
前記鏡は前記底蓋の内面に取り付けられる第２の鏡体を更に備えることを特徴とする請求項５に記載の新型屋外用ポータブルファン。
【請求項７】
前記底蓋の第２の鏡体の外周に複数のＬＥＤランプが取り付けられていることを特徴とする請求項６に記載の新型屋外用ポータブルファン。
【請求項８】
前記第１の鏡体、第２の鏡体の片方が平面鏡で、他方が拡大鏡であることを特徴とする請求項６に記載の新型屋外用ポータブルファン。
【請求項９】
前記ファンカバーとベースとの回転接続はそれぞれ両者に設けられた回転軸と軸孔との嵌合により実現され、かつ該回転接続箇所にファンカバーの回転角度を規制するための位置規制機構が取り付けられていることを特徴とする請求項１に記載の新型屋外用ポータブルファン。
【請求項１０】
前記位置規制機構は、接続箇所のファンカバー部分に設置される複数本の横溝と、前記ベースに設けられる可動なプッシュプレートとを備え、前記プッシュプレートが移動して横溝に係合されることでファンカバーの開閉角度が規制されることを特徴とする請求項９に記載の新型屋外用ポータブルファン。
【請求項１１】
前記位置規制機構は回転軸に密着して設置される弾性ガスケットであることを特徴とする請求項９に記載の新型屋外用ポータブルファン。
【請求項１２】
前記ファン本体は円形であり、前記ベースには、回転接続箇所の両側に対称的に設けられる２つの第１の紐孔が設けられていることを特徴とする請求項９に記載の新型屋外用ポータブルファン。
【請求項１３】
前記ベースには、直径線の端点に沿ってベースの周辺に配置され、かつ回転接続箇所に対して対称的である２つの第２の紐孔が設けられていることを特徴とする請求項１２に記載の新型屋外用ポータブルファン。
【請求項１４】
前記ベースの底面にクリップが設けられていることを特徴とする請求項１に記載の新型屋外用ポータブルファン。
【請求項１５】
前記クリップは、前記ベースに着脱可能に取り付けられる挟持基板と、一端が挟持基板に回転接続される可動挟み板とを備え、かつ挟持基板と可動挟み板との接続箇所には挟持力を発生させるための弾性部材が取り付けられていることを特徴とする請求項１４に記載の新型屋外用ポータブルファン。
【請求項１６】
前記ベースの底面には、挟持基板が嵌合される凹溝が設けられており、前記凹溝と挟持基板とは弾性留め具により係合装着されることを特徴とする請求項１５に記載の新型屋外用ポータブルファン。
【考案の詳細な説明】
【技術分野】
【０００１】
本考案はポータブルファンに関する。
【背景技術】
【０００２】
充電電池の幅広い使用及び耐久性技術の発展に伴い、ファンは伝統的な製品として有線電源の依存から解放され、もはや屋内での使用に限らず、屋外での使用へと広がり、人々の屋外活動のために快適に暑気を取り除く課題を解決した。現在市販されているポータブルファンはハンドル式であり、ファンのカバーが長尺状のハンドルに取り付けられて使用されるものである。このようなハンドル式ファンは、通常、使用者が手に持って風向を調整しなければならず、ハンドルを完全に屈曲させてて支持フレームとする場合は、使用者の両手を解放することができるが、ファンが固定され、風向の調整が不可能となるなどの欠点があり、使用上さまざまな不便が残っている。
【考案の概要】
【考案が解決しようとする課題】
【０００３】
本考案は上記事情に鑑みてなされたものであり、本考案が解決しようとする課題は、改善されたポータブルファンを提供することである。
【課題を解決するための手段】
【０００４】
本考案者らは、上記課題を解決するため鋭意検討したところ、下記の技術手段を採用することにより、上記課題を解決し得ることを見出し、本考案を完成するに至った。
【０００５】
本考案は、新型屋外用ポータブルファンであって、ファンカバーを有するファン本体を備え、ファンカバーの中にモータにより駆動されるファン羽根が取り付けられ、前記モータにコントロールボード、電池が接続され、ファン本体は、コントロールボード、電池が取り付けられるベースを備え、前記ファンカバーの一側がベースに回転装着され、ファンカバーは回転することによりベースの頂面との開閉が実現されるようになっている。
【０００６】
新型屋外用ポータブルファンにおいて、前記ファン本体に鏡が取り付けられている。
【０００７】
新型屋外用ポータブルファンにおいて、前記鏡はベースの底面に取り付けられる第１の鏡体を備える。
【０００８】
新型屋外用ポータブルファンにおいて、前記第１の鏡体の外周に複数のＬＥＤランプが設けられている。
【０００９】
新型屋外用ポータブルファンにおいて、前記ベースの底部には、ベースとの接続箇所に沿って往復回転することでベースの底面と開閉する底蓋が可動に取り付けられている。
【００１０】
新型屋外用ポータブルファンにおいて、前記鏡は前記底蓋の内面に取り付けられる第２の鏡体を更に備える。
【００１１】
新型屋外用ポータブルファンにおいて、前記底蓋の第２の鏡体の外周に複数のＬＥＤランプが設けられている。
【００１２】
新型屋外用ポータブルファンにおいて、前記第１の鏡体、第２の鏡体の片方が平面鏡で、他方が拡大鏡である。
【００１３】
新型屋外用ポータブルファンにおいて、前記ファンカバーとベースとの回転接続は両者にそれぞれ設けられた回転軸と軸孔との嵌合により実現され、該回転接続箇所にはファンカバーの回転角度を規制するための位置規制機構が取り付けられている。
【００１４】
新型屋外用ポータブルファンにおいて、前記位置規制機構は、接続箇所のファンカバー部分に設置される複数本の横溝と、前記ベースに設けられる可動なプッシュプレートとを備え、前記プッシュプレートが移動し横溝に係合されることでファンカバーの開閉角度が規制される。
【００１５】
新型屋外用ポータブルファンにおいて、前記位置規制機構は回転軸に密着して設置される弾性ガスケットである。
【００１６】
新型屋外用ポータブルファンにおいて、前記ファン本体は円形であり、前記ベースには、回転接続箇所の両側に対称的に設けられる２つの第１の紐孔が設けられている。
【００１７】
新型屋外用ポータブルファンにおいて、前記ベースには、直径線の端点に沿ってベースの周辺に配置され、かつ回転接続箇所に対して対称的である２つの第２の紐孔が設けられている。
【００１８】
新型屋外用ポータブルファンにおいて、前記ベースの底面にクリップが設けられている。
【００１９】
新型屋外用ポータブルファンにおいて、前記クリップは、前記ベースに着脱可能に取り付けられる挟持基板と、一端が挟持基板に回転接続される可動挟み板と備え、かつ挟持基板と可動挟み板との接続箇所には挟持力を発生させるための弾性部材が取り付けられている。
【００２０】
新型屋外用ポータブルファンにおいて、前記ベースの底面には、挟持基板が嵌合される凹溝が設けられており、前記凹溝と挟持基板とは弾性留め具により係合装着される。
【考案の効果】
【００２１】
本考案の技術手段を実施することによって、少なくとも以下の効果が得られる。ベースによりポータブルファンを配置することができ、ファンカバーの回転により風向を調整することができる。
【図面の簡単な説明】
【００２２】
【図１】本考案の概略図である。
【図２】本考案の主な構造を説明するための略図である。
【図３】本考案の底蓋を有する構造を説明するための略図である。
【図４】本考案のクリップが取り付けられている構造を説明するための略図である。
【図５】本考案のクリップの取り付けを説明するための分解立体略図である。
【図６】本考案のクリップ構造を説明するための略図である。
【考案を実施するための形態】
【００２３】
以下、図面と実施例を参照しながら、本考案を更に説明する。
本考案の技術的特徴、目的及び効果をより明確に理解できるように、図面を参照しながら本考案の具体的な実施形態を詳しく説明する。
【００２４】
図１〜６に示す新型屋外用ポータブルファンは、ファンカバー２を有するファン本体を備え、ファンカバー２の中にモータにより駆動されるファン羽根３が取り付けられ、前記モータにコントロールボード、電池が接続され、ファン本体は、コントロールボード、電池が取り付けられるベース１を備え、前記ファンカバー２の一側がベース１に回転装着され、ファンカバー２は回転することでベース１の頂面と開閉する。ファン本体はベース１により配置することができ、ファンカバー２の回転により風向を調整することができ、操作が便利であり、使用者の両手を解放することができる。ファンカバーとベースの回転接続は通常の回転軸、軸孔の嵌合により実現することができ、ファンカバー、ベースに回転軸、軸孔をそれぞれ設け、回転軸を軸孔に可動に取り付ければよい。
【００２５】
屋外の場合、暑気払い以外にも、多くの使用者、特に女性の使用者は化粧したり、化粧を直したりして見かけを整えるなどのニーズがある。従って、ファン本体に鏡を取り付けることにより使用者のこのニーズを満たすことができ、鏡の取り付け位置が複数であってもよい。例えば、ベース１の底面に鏡を取り付けて第１の鏡体７を形成し、ファンカバー２とベース１が１８０度近く開放したときに、ファンカバー２の風向と鏡が同時に使用者に向くことになり、使用にいっそう便利になる。第１の鏡体７を保護するために、回転軸の接続によりベースの底部に底蓋９を設置してもよく、底蓋９を回転することによりベースの底面と開閉され、第１の鏡体７の使用時は底蓋９を開け、非使用時は底蓋９を閉じればよい。
【００２６】
ベースの底面に鏡を取り付けて第１の鏡体７を形成するほかに、底蓋９の内面に第２の鏡体を取り付けてもよく、複数枚の鏡を取り付けることにより使用者は実際のニーズに合わせて選択して使用することもできるが、例えば底蓋に第２の鏡体を取り付けるだけなど、両者のうちの片方だけを設置してももちろんよい。いくつかの実施例では、第１の鏡体７、第２の鏡体の片方が平面鏡で、他方が拡大鏡であり、使用者が化粧を整えるときに、拡大鏡により細かいところまで正確に整えることができる。好ましくは、暗い環境でも使えるように、第１の鏡体７、第２の鏡体の周囲にカバー構造を有するＬＥＤランプを取り付けてもよい。
【００２７】
ファンカバー２を適切な開放角度で安定させるために、ファンカバー２とベース１との回転接続箇所４にファンカバー２の回転角度を規制する位置規制機構が取り付けられている。位置規制機構は日用品分野、機械分野において通常設けられるものであり、一般的には、回転接続される２つの構造が勝手に動かないように、回転接続箇所の摩擦力を増加させるものである。しかし、本考案ではこのニーズを満たすために、巧みに工夫された位置規制機構を使用することが望ましい。位置規制機構は、接続箇所のファンカバー２部分に設けられる複数本の横溝４０と、前記ベース１に設けられる可動なプッシュプレート４１とを備え、前記プッシュプレート４１が動いて横溝４０に係合されることでファンカバー２の開閉角度が規制される。ファンカバー２が適切な角度に回転すると、使用者はプッシュプレート４１を操作して対応する横溝４０に係合させることにより、ファンカバー２が位置規制され、再調整が必要な時には、プッシュプレート４１を横溝４０から退出させばよい。ファンカバー２とベース１との開閉角度の範囲は６０度〜１４０度が好ましい。なお、回転軸に密着する弾性ガスケットを回転軸に取り付けて位置規制機能を果たさせてもよく、弾性ガスケットで回転軸を押圧し、これにより回転軸の摩擦力を非常に大きくさせ、使用者が作用力を付勢し弾性ガスケットを押圧変形させることで回転軸を回転さえるようにすることができ、外力が解除されると、弾性ガスケットは回復して回転軸が勝手に回転しないように規制する。
【００２８】
いくつかの実施例では、ベース１には、ベース１における回転接続箇所４の両側に設けられる２つの第１の紐孔が設けられており、第１の紐５は２つの孔（図１に図示）を貫通して設けられ、使用者が首に着用するとき、第１の紐５とベース１により重心が形成され、同時にファンカバー２とベース１との回転接続箇所４が縦方向の上方に位置するようになり、一般的に、ファンカバー２と第１の紐５、ベース１により形成された重心線の間に４０度より大きい角度が形成される。このように、ファンカバー２がベース１から開放される時には、ファンカバー２がちょうど使用者の顔を向いていて、便利である。
【００２９】
いくつかの実施例では、ベース１には、直径線の端点に沿ってベースの周辺に配置され、かつ回転接続箇所４に対して対称的である２つの第２の紐孔が設けられている。第２の紐孔に第２の紐６を貫通して設け、第２の紐６がバランスする重心位置にあり、使用者は第２の紐６によりファンを腰に着用して使用することができる。
【００３０】
いくつかの実施例では、ファンの配置、持ち歩きを便利にするために、ベース１の底面にクリップ８が設けられている。クリップ８は成熟した既存の消耗品であり、２枚の挟み板を備え、そのうち片方をベース１により形成してもよく、他方の可動挟み板８１を付設すればよい。好ましくは、クリップ８は、前記ベース１に着脱可能に取り付けられる挟持基板８０と、一端が挟持基板８０に回転接続される可動挟み板８１とを備え、かつ挟持基板と可動挟み板との接続箇所には挟持力を発生させるための弾性部材が取り付けられ、弾性部材は一般的にねじりばね８２であり、ねじりばね８２は挟持基板と可動挟み板との間の回転軸を貫通して設けられ、その２つの自由端が挟持基板、可動挟み板にそれぞれ当接されることにより、挟持基板と可動挟み板とに挟持力が発生する。ベース１の底面には、挟持基板８０が嵌合される凹溝１００が設けられており、前記凹溝１００と挟持基板８０とは弾性留め具により係合装着される。クリップ８はベース１の着脱により取り外すことができ、使用者は適切な方法を柔軟に選択して使用、携帯することができる。
【００３１】
以上は本考案の好ましい実施例に過ぎず、本考案を制限するものではない。当業者にとって、本考案は様々な変更、組み合わせおよび変形を有することができる。本考案の精神及び原則の範囲内で行われたいかなる変更、均等な置換及び改良などは本考案の請求の範囲に含まれるべきである。
【符号の説明】
【００３２】
１…ベース
２…ファンカバー
３…ファン羽根
４…回転接続箇所
４０…横溝
４１…プッシュプレート
５…第１の紐
６…第２の紐
７…第１の鏡体
８…クリップ
８０…挟持基板
８１…可動挟み板
８２…ねじりばね
９…底蓋
１００…凹溝
【図１】
0003216040.tif 000003
【図２】
0003216040.tif 000004
【図３】
0003216040.tif 000005
【図４】
0003216040.tif 000006
【図５】
0003216040.tif 000007
【図６】
0003216040.tif 000008
【手続補正書】
【提出日】平成30年3月6日(2018.3.6)
【手続補正１】
【補正対象書類名】実用新案登録請求の範囲
【補正対象項目名】全文
【補正方法】変更
【補正の内容】
【実用新案登録請求の範囲】
【請求項１】
ファンカバーを有するファン本体を備え、ファンカバーの中にモータにより駆動されるファン羽根が取り付けられ、前記モータにコントロールボード、電池が接続される新型屋外用ポータブルファンであって、
ファン本体は、コントロールボード、電池が取り付けられるベースを備え、
前記ファンカバーの一側がベースに回転装着され、ファンカバーは回転することによりベースの頂面との開閉が実現されることを特徴とする新型屋外用ポータブルファン。
【請求項２】
前記ファン本体に鏡が取り付けられていることを特徴とする請求項１に記載の新型屋外用ポータブルファン。
【請求項３】
前記鏡はベースの底面に取り付けられる第１の鏡体を備えていることを特徴とする請求項２に記載の新型屋外用ポータブルファン。
【請求項４】
前記第１の鏡体の外周に複数のＬＥＤランプが設けられていることを特徴とする請求項３に記載の新型屋外用ポータブルファン。
【請求項５】
前記ベースの底部には、ベースとの接続箇所に沿って往復回転することでベースの底面と開閉する底蓋が可動に取り付けられていることを特徴とする請求項２に記載の新型屋外用ポータブルファン。
【請求項６】
前記鏡は前記底蓋の内面に取り付けられる第２の鏡体を更に備えていることを特徴とする請求項５に記載の新型屋外用ポータブルファン。
【請求項７】
前記底蓋の第２の鏡体の外周に複数のＬＥＤランプが取り付けられていることを特徴とする請求項６に記載の新型屋外用ポータブルファン。
【請求項８】
前記鏡はベースの底面に取り付けられる第１の鏡体を備えており、
前記第１の鏡体、第２の鏡体の片方が平面鏡で、他方が拡大鏡であることを特徴とする請求項６又は請求項７に記載の新型屋外用ポータブルファン。
【請求項９】
前記ファンカバーとベースとの回転接続はそれぞれ両者に設けられた回転軸と軸孔との嵌合により実現され、かつ該回転接続箇所にファンカバーの回転角度を規制するための位置規制機構が取り付けられていることを特徴とする請求項１に記載の新型屋外用ポータブルファン。
【請求項１０】
前記位置規制機構は、接続箇所のファンカバー部分に設置される複数本の横溝と、前記ベースに設けられる可動なプッシュプレートとを備え、前記プッシュプレートが移動して横溝に係合されることでファンカバーの開閉角度が規制されることを特徴とする請求項９に記載の新型屋外用ポータブルファン。
【請求項１１】
前記位置規制機構は回転軸に密着して設置される弾性ガスケットであることを特徴とする請求項９に記載の新型屋外用ポータブルファン。
【請求項１２】
前記ファン本体は円形であり、前記ベースには、回転接続箇所の両側に対称的に設けられる２つの第１の紐孔が設けられていることを特徴とする請求項９に記載の新型屋外用ポータブルファン。
【請求項１３】
前記ベースには、直径線の端点に沿ってベースの周辺に配置され、かつ回転接続箇所に対して対称的である２つの第２の紐孔が設けられていることを特徴とする請求項１２に記載の新型屋外用ポータブルファン。
【請求項１４】
前記ベースの底面にクリップが設けられていることを特徴とする請求項１に記載の新型屋外用ポータブルファン。
【請求項１５】
前記クリップは、前記ベースに着脱可能に取り付けられる挟持基板と、一端が挟持基板に回転接続される可動挟み板とを備え、かつ挟持基板と可動挟み板との接続箇所には挟持力を発生させるための弾性部材が取り付けられていることを特徴とする請求項１４に記載の新型屋外用ポータブルファン。
【請求項１６】
前記ベースの底面には、挟持基板が嵌合される凹溝が設けられており、前記凹溝と挟持基板とは弾性留め具により係合装着されることを特徴とする請求項１５に記載の新型屋外用ポータブルファン。